(57)【要約】      （修正有）【課題】手すりと脚部を一体に結合することによって、竹製座面の全体の強度を高めるとともに、よりきめ細かい外観にすることが可能な、手すりと脚部を備えた竹製座面を提供する。【解決手段】竹材を曲げることでコ型の脚部１と手すり２を成型させるとともに、手すり２の高さを脚部１の高さより高くし、さらに、脚部１の支持脚１１の相対する両外側面を手すり２の手すり支持脚２１の相対する両内側面に結合させることにより、一体の手すり脚部ユニットを形成させる。前記手すり脚部ユニットの間には、さらに、複数の座面竹材ユニットからなる座面３を結合させる。【選択図】図３
0003176188.tif 000002
【実用新案登録請求の範囲】
【請求項１】
竹材をコ型に曲げてなる脚部と、竹材をコ型に曲げてなるとともに高さが前記脚部の高さより高い手すりとからなる、手すりと脚部を備えた竹製座面であって、
前記脚部の支持脚の相対的な両外側面は、前記手すりの手すり支持脚の相対的な両内側面に結合され、それにより一体の手すり脚部ユニットを形成することを特徴とする、手すりと脚部を備えた竹製座面。
【請求項２】
二つの脚部の相対的な側面には、それぞれ、対応する複数の凹孔が設けられ、前記座面には、複数の横向竹材が設けられ、前記横向竹材の両端は、対応する前記凹孔内に固定され、前記横向竹材は、前記凹孔に差し込まれた後、複数の固定部材によって前記脚部に固定されることを特徴とする、請求項１に記載の手すりと脚部を備えた竹製座面。
【請求項３】
前記脚部の二本の支持脚は、相互に離れる方向に傾斜し、前記手すりの二本の手すり支持脚は、相互に離れる方向に傾斜することを特徴とする、請求項１に記載の手すりと脚部を備えた竹製座面。
【考案の詳細な説明】
【技術分野】
【０００１】
本考案は竹材からなる竹製座面に関し、特に竹材を利用して手すりと脚部を一体に結合することにより、竹製座面の荷重強度と外観のきめ細かさを向上させることができる、手すりと脚部を備えた竹製座面に関する。
【背景技術】
【０００２】
材料の如何を問わず、座面は、その大体の構造は、底部と、支持部と、座部とからなる。底部は地面と接触するのに用いられ、座部は、使用者の臀部をのせるのに用いられ、支持部は、底部と座部の間に連結され、座部を支持するのに用いられる。竹材を使用した座面の種類は少なくないものの、いずれも、編む方式によってなるため、成型後の竹材座面は弾性に乏しく、長時間座ると不快感が生じやすい。
【考案の概要】
【考案が解決しようとする課題】
【０００３】
そこで、本考案は、手すりと脚部を一体に結合することによって、竹製座面の全体の強度を高めるとともに、よりきめ細かい外観にすることが可能な、手すりと脚部を備えた竹製座面を提供することを目的とする。
【課題を解決するための手段】
【０００４】
本考案は、竹材を曲げることでコ型の脚部と手すりを成型させるとともに、手すりの高さを脚部の高さより高くし、さらに、脚部の支持脚の相対する両外側面を手すりの手すり支持脚の相対する両内側面に結合させることにより、一体の手すり脚部ユニットを形成させる。前記手すり脚部ユニットの間には、さらに、複数の座面竹材ユニットからなる座面を結合させる。
【考案の効果】
【０００５】
本考案は、竹製座面の荷重強度と、外観の一体感を向上させることができる。
【図面の簡単な説明】
【０００６】
【図１】本考案を竹製座面にした後の実施例を前方からみた状態を示した平面図である。
【図２】図１を上方からみた状態を示した平面図である。
【図３】図１を側方からみた状態を示した平面図である。
【図４】図１のＡ−Ａ方向から見た平面断面図である。
【図５Ａ】本考案の予め成型させた脚部構造の側面図である。
【図５Ｂ】本考案の予め成型させた脚部構造の前面図である。
【図６Ａ】本考案の予め成型させた手すり構造の側面図である。
【図６Ｂ】本考案の予め成型させた手すり構造の前面図である。
【図６Ｃ】本考案の予め成型させた手すり構造の俯瞰図である。
【図７】本考案の予め成型させた座面ユニット構造の平面断面図である。
【考案を実施するための形態】
【０００７】
まず、図１から図３を参照する。本考案の好ましい実施例による竹製座面は、複数の竹材からなる。本考案の竹製座面は、コ型状に曲げた複数の脚部１と手すり２、及び、複数の連続し彎曲した座面３とを備える。前記脚部１と手すり２は結合されて一体の手すり脚部ユニットを形成し、座面３は、二つの手すり脚部ユニットの間に固定される。
【０００８】
また、図５Ａと図５Ｂに示すように、本考案の脚部１は、竹材をコ型に曲げてなり、それにより、脚部１は、相対的な両側に位置する支持脚１１と、上方に位置するとともに二本の支持脚１１に連結される支持脚連結部１２とを備える。二本の支持脚１１は、相互に離れる方向に傾斜し、それにより、支持脚１１の下端と地面の支持面積が広がる。脚部１の側面には、複数の凹孔１３が設けられる。
【０００９】
図６Ａから図６Ｃは、本考案の手すり２の構造を示している。手すり２も、竹材をコ型に曲げてなり、それにより、手すり２は、相対的な両側に位置する手すり支持脚２１と、上方に位置するとともに二つの手すり支持脚２１に連結される支持脚連結部２２とからなる。二つの手すり支持脚２１は、相互に離れる方向に傾斜し、それにより、手すり支持脚２１下端と地面の支持面積が広がる。手すり２の全体の高さは、脚部１の全体の高さより高い。また、手すり支持脚２１の傾斜角度と、脚部１の支持脚１１の傾斜角度は同じであるのが好ましく、手すり支持脚２１の相対的な内側面のサイズは、脚部１の支持脚１１の相対的な外側面のサイズに等しいのが最も好ましい。
【００１０】
前述の脚部１と手すり２の構造を利用し、本考案の脚部１と手すり２を一体に結合する実施方法は、支持脚１１の相対的な両側外側面と、手すり支持脚２１の相対的な両内側面を相互に結合させ、一体の手すり脚部ユニットを成型させる。
【００１１】
さらに、図４と図７を参照する。前述の手すり脚部ユニットは、座面３と合わせることで使用することができる。本考案の実施例において、座面３も、竹材からなるとともに、座面３は、複数の長い棒状の竹材を成型してなる連続し彎曲した形状の座面竹材を備え、相互に対応する一組の第一座面竹材３１Ａと第二座面竹材３１Ｂを重ねて座面ユニット３１が形成される。座面ユニット３１は平行に配列されるとともに、第一座面竹材３１Ａと第二座面竹材３１Ｂの間には、長棒状の複数の横向竹材４が設けられ、横向竹材４１の両端は、それぞれ、座面３の側辺から適度な長さだけ突出し、横向竹材４により、座面ユニット３１の第一座面竹材３１Ａと第二座面竹材３１Ｂの間に、挟む込まれた空間が形成される。さらに、固定部材５を利用して、各第一座面竹材３１Ａと第二座面竹材３１Ｂ及び各横向竹材４を固定することで、竹製背もたれを備えた竹製座面３が形成される。
【００１２】
座面３と二つの手すり脚部ユニットを組み合わせるには、直接、座面３両側の横向竹材４を脚部１の凹孔１３内に挿入して固定する。横向竹材４の両端と凹孔１３の間はきつく圧迫させるのが好ましい。さらには、横向竹材４における自由端に近い適切な位置に穴をあけ、脚部１の内側面の適切な位置にも対応する洞孔を設け、横向竹材４を凹孔１３内に進入させた後、二つの洞孔を対応させ、固定部材５を前記洞孔に打ち込むと、横向竹材４と脚部１を完全に固定することができる。以上により、本考案の竹製座面は、更に優れた荷重強度を得ることができるとともに、一体感のある外観にすることができる。
【符号の説明】
【００１３】
１      脚部
１１    支持脚
１２    支持脚連結部
１３    凹孔
２      手すり
２１    手すり支持脚
２２    手すり支持脚連結部
３      座面
３１    座面竹材ユニット
３１Ａ  第一座面竹材
３１Ｂ  第二座面竹材
４      横向竹材
５      固定部材
【図１】
0003176188.tif 000003
【図２】
0003176188.tif 000004
【図３】
0003176188.tif 000005
【図４】
0003176188.tif 000006
【図５Ａ】
0003176188.tif 000007
【図５Ｂ】
0003176188.tif 000008
【図６Ａ】
0003176188.tif 000009
【図６Ｂ】
0003176188.tif 000010
【図６Ｃ】
0003176188.tif 000011
【図７】
0003176188.tif 000012